(57)【要約】【課題】レバーおよびカバーの接触を回避することができる記録ディスク駆動装置を提供する。【解決手段】記録ディスク１５の静止時、ヘッドアクチュエータ１８の支軸２０回りに衝撃が加えられると、ヘッドアクチュエータ１８は慣性力に基づき支軸２０回りで揺動する。レバー４４は重り４５の慣性力に基づき第１軸４３回りで揺動する。レバー４４は第１作用点５３や第２作用点５４で第１揺動片５１や第２揺動片５２に接触する。第１揺動片５１はヘッドアクチュエータ１８の移動経路に進入する。ヘッドアクチュエータ１８の揺動は拘束される。ヘッドスライダ２３と記録ディスク１５の表面との間で接触は回避される。揺動部材４７は第１および第２作用点５３、５４の間でレバー４４およびカバーの間に配置される。揺動部材４７に基づきレバー４４の変位は拘束される。レバー４４およびカバーの間で接触は回避される。接触に基づく騒音や振動の発生は回避される。【選択図】図３
2006268983.tif 000002
【特許請求の範囲】
【請求項１】
ヘッドスライダを支持し、支軸回りの揺動に基づきランプ部材から離脱する際に所定の移動経路を辿るヘッドアクチュエータと、第１軸に揺動自在に支持され、第１軸から第１および第２距離で離れる第１および第２作用点を規定するレバーと、レバーに連結されつつ第１軸に揺動自在に支持され、第１および第２距離よりも短い第３距離で第１軸から離れる重りと、第２軸に揺動自在に支持され、第１および第２作用点の間でレバーおよびカバーの間に配置される揺動部材とを備え、前記揺動部材は、第１方向に揺動するレバーの第１作用点に接触して第２軸回りでヘッドアクチュエータの移動経路に進入する第１揺動片と、第１方向に逆向きの第２方向に揺動するレバーの第２作用点に接触して、第２軸回りでヘッドアクチュエータの移動経路に第１揺動片を進入させる第２揺動片とを備えることを特徴とする記録ディスク駆動装置。
【請求項２】
請求項１に記載の記録ディスク駆動装置において、前記ヘッドアクチュエータの揺動を引き起こすボイスコイルモータと、前記第２揺動片に配置されて、ボイスコイルモータから作用する磁界に引き寄せられる磁性片とをさらに備えることを特徴とする記録ディスク駆動装置。
【請求項３】
請求項１に記載の記録ディスク駆動装置において、前記第２軸に対して前記第２軸の軸方向に前記揺動部材の移動を規制する規制部材をさらに備えることを特徴とする記録ディスク駆動装置。
【請求項４】
請求項１に記載の記録ディスク駆動装置において、前記揺動部材に形成されて前記第２軸を受け入れる軸孔の内壁面から突き出る突片と、前記第２軸の外周面で前記第２軸の軸心回りに延び、突片を受け入れる長溝とをさらに備えることを特徴とする記録ディスク駆動装置。
【請求項５】
請求項１に記載の記録ディスク駆動装置において、前記第２軸の外周面から外側に向かって突き出て、前記第２軸を支持するベース部材との間で前記揺動部材を挟み込む突片をさらに備えることを特徴とする記録ディスク駆動装置。
【発明の詳細な説明】
【技術分野】
【０００１】
本発明は、例えばハードディスク駆動装置（ＨＤＤ）といった記録ディスク駆動装置に関し、特に、記録ディスクと、記録ディスクの外側に配置されるランプ部材とを備える記録ディスク駆動装置に関する。
【背景技術】
【０００２】
例えばＨＤＤにはヘッドアクチュエータが組み込まれる。ヘッドアクチュエータは支軸回りで所定の移動経路に沿って揺動することができる。支軸は例えばねじに基づきベースに支持される。同時に、支軸は例えばねじに基づきカバーに連結される。ヘッドアクチュエータの移動経路上には磁気ディスクの外側でランプ部材が配置される。磁気ディスクの静止時、ヘッドアクチュエータの先端はランプ部材に受け止められる。こうしたヘッドアクチュエータの先端にはヘッドスライダが支持される。
【０００３】
その一方で、ＨＤＤ内にはいわゆるラッチ機構が組み込まれる。ラッチ機構は、第１軸に揺動自在に支持されるレバーと、レバーに連結されつつ第１軸に揺動自在に支持される重りとを備える。レバーには揺動部材が関連付けられる。揺動部材は、レバーの先端に規定される第１作用点や第２作用点に接触する。こうして第１軸回りのレバーの揺動に基づき第２軸回りで揺動部材は揺動する。
【０００４】
磁気ディスクの静止時、ＨＤＤの筐体に衝撃が加えられると、慣性力に基づきヘッドアクチュエータは揺動する。同時に、慣性力に基づき重りは第１軸回りで移動する。レバーは揺動する。レバーの揺動に基づき揺動部材はヘッドアクチュエータの移動経路に進入する。こうしてヘッドアクチュエータの揺動は拘束される。ヘッドスライダおよび磁気ディスクの表面の間で接触は回避される。
【特許文献１】特開２００２−６３７７２号公報
【特許文献２】特開２００２−３１９２５９号公報
【発明の開示】
【発明が解決しようとする課題】
【０００５】
こういったＨＤＤでは、レバーは第１および第２作用点の間で揺動部材とカバーとの間に配置される。第１および第２作用点は第１および第２距離で第１軸から離れる。重りは第１および第２距離よりも短い第３距離で第１軸から離れる。その結果、レバーの先端では大きな変位量が確保される。ＨＤＤの筐体に衝撃が加えられると、レバーの先端は第１軸に対して第１軸の軸方向に変位することが考えられる。レバーおよびカバーは接触してしまう。接触に基づき騒音が発生してしまう。
【０００６】
このとき、レバーおよびカバーが連続的に接触すると、カバーでは騒音とともに振動が引き起こされる。カバーと支軸とはねじに基づき連結されることから、カバーの振動はねじからヘッドアクチュエータに伝達されてしまう。ヘッドアクチュエータの振動に基づきヘッドスライダの位置決め精度は低下する。その結果、ヘッドスライダでは情報の読み書きは正確に実施されることができない。
【０００７】
また、レバーおよびカバーの接触に基づきレバーや第１軸は摩耗することが考えられる。こうした摩耗に基づき塵埃が発生してしまう。塵埃の発生はヘッドスライダの浮上に多大な影響を及ぼしてしまう。
【０００８】
本発明は、上記実状に鑑みてなされたもので、レバーおよびカバーの接触を回避することができ、信頼性および安全性の高い記録ディスク駆動装置を提供することを目的とする。
【課題を解決するための手段】
【０００９】
上記目的を達成するために、本発明によれば、ヘッドスライダを支持し、支軸回りの揺動に基づきランプ部材から離脱する際に所定の移動経路を辿るヘッドアクチュエータと、第１軸に揺動自在に支持され、第１軸から第１および第２距離で離れる第１および第２作用点を規定するレバーと、レバーに連結されつつ第１軸に揺動自在に支持され、第１および第２距離よりも短い第３距離で第１軸から離れる重りと、第２軸に揺動自在に支持され、第１および第２作用点の間でレバーおよびカバーの間に配置される揺動部材とを備え、前記揺動部材は、第１方向に揺動するレバーの第１作用点に接触して第２軸回りでヘッドアクチュエータの移動経路に進入する第１揺動片と、第１方向に逆向きの第２方向に揺動するレバーの第２作用点に接触して、第２軸回りでヘッドアクチュエータの移動経路に第１揺動片を進入させる第２揺動片とを備えることを特徴とする記録ディスク駆動装置が提供される。
【００１０】
こうした記録ディスク駆動装置では、記録ディスクの静止時、ヘッドアクチュエータの支軸回りに衝撃が加えられると、ヘッドアクチュエータは慣性力に基づき支軸回りで所定の移動経路に沿って揺動する。同時に、レバーは重りの慣性力に基づき第１軸回りで揺動する。レバーは第１作用点や第２作用点で第１揺動片や第２揺動片に接触する。こうして第１揺動片はヘッドアクチュエータの移動経路に進入する。ヘッドアクチュエータの揺動は拘束される。ヘッドスライダと記録ディスクの表面との間で接触は回避される。ヘッドスライダの破損は確実に回避されることができる。
【００１１】
しかも、揺動部材は、第１および第２作用点の間でレバーおよびカバーの間に配置される。記録ディスク駆動装置に衝撃が加えられても、レバーは第１および第２作用点の間で揺動部材に受け止められる。第１軸に対して第１軸の軸方向にレバーの変位は拘束される。第１および第２作用点は重りよりも第１軸から離れることからレバーの先端で大きな変位量が確保されるものの、レバーおよびカバーの間で接触は確実に回避される。カバーおよびレバー４４の接触に基づく騒音の発生は回避される。同時に、ヘッドアクチュエータに振動の伝達は確実に回避される。ヘッドスライダでは情報の読み書きは正確に実施されることができる。
【００１２】
記録ディスク駆動装置は、ヘッドアクチュエータの揺動を引き起こすボイスコイルモータと、第２揺動片に配置されて、ボイスコイルモータから作用する磁界に引き寄せられる磁性片とをさらに備えてもよい。こうした記録ディスク駆動装置では、揺動部材は磁性片の働きに基づきボイスコイルモータに引き寄せられる。その結果、第２軸に対して第２軸の軸方向に揺動部材の移動は規制される。前述されるように、レバーは第１および第２作用点の間で揺動部材に受け止められることから、第１軸に対して第１軸の軸方向にレバーの変位は確実に拘束されることができる。
【００１３】
記録ディスク駆動装置は、第２軸に対して第２軸の軸方向に揺動部材の移動を規制する規制部材をさらに備えてもよい。こうした規制部材の働きで、第２軸に対して第２軸の軸方向に揺動部材の移動は規制される。レバーは第１および第２作用点の間で揺動部材に受け止められることから、第１軸に対して第１軸の軸方向にレバーの変位は確実に拘束されることができる。
【００１４】
記録ディスク駆動装置は、揺動部材に形成されて第２軸を受け入れる軸孔の内壁面から突き出る突片と、第２軸の外周面で第２軸の軸心回りに延び、突片を受け入れる長溝とをさらに備えてもよい。こうした記録ディスク駆動装置では、揺動部材の突片は第２軸の長溝に受け入れられる。突片および長溝に基づき揺動部材の第２軸回りの揺動は案内される。長溝は第２軸の軸回りに延びることから、第２軸に対して第２軸の軸方向に揺動部材の移動は規制される。レバーは第１および第２作用点の間で揺動部材に受け止められることから、第１軸に対して第１軸の軸方向にレバーの変位は確実に拘束されることができる。レバーおよびカバーの間で接触は確実に回避されることができる。
【００１５】
記録ディスク駆動装置は、第２軸の外周面から外側に向かって突き出て、第２軸を支持するベース部材との間で揺動部材を挟み込む突片をさらに備えてもよい。こうした記録ディスク駆動装置では、突片はベース部材との間で揺動部材を挟み込む。その結果、第２軸に対して第２軸の軸方向に揺動部材の移動は規制される。レバーは第１および第２作用点の間で揺動部材に受け止められることから、第１軸に対して第１軸の軸方向にレバーの変位は確実に拘束されることができる。レバーおよびカバーの間で接触は確実に回避されることができる。
【発明の効果】
【００１６】
以上のように本発明は、レバーおよびカバーの接触を回避することができ、信頼性および安全性の高い記録ディスク駆動装置を提供することができる。
【発明を実施するための最良の形態】
【００１７】
以下、添付図面を参照しつつ本発明の実施形態を説明する。
【００１８】
図１は本発明に係る記録ディスク駆動装置の一具体例すなわちハードディスク駆動装置（ＨＤＤ）１１の外観を概略的に示す。このＨＤＤ１１は箱形の筐体すなわちハウジング１２を備える。ハウジング１２は、例えば平たい直方体の内部空間すなわち収容空間を区画する箱形のベース部材すなわちベース１３を備える。ベース１３は例えばアルミニウムといった金属材料から鋳造に基づき成形されればよい。
【００１９】
ベース１３には蓋体すなわちカバー１４が結合される。カバー１４とベース１３との間で収容空間は密閉される。カバー１４は例えばプレス加工に基づき１枚の板材から成形されればよい。板材には例えばアルミニウムの金属板が用いられればよい。板材の厚みは例えば０．４ｍｍ〜０．５ｍｍ程度に規定される。板材は例えば積層材から構成されてもよい。カバー１４には、カバー１４の表面に穿たれる貫通孔に基づきねじ１５がねじ込まれる。ねじ１５は、後述のヘッドアクチュエータの支軸に受け入れられる。
【００２０】
図２に示されるように、収容空間には、記録媒体としての１枚以上の磁気ディスク１６が収容される。磁気ディスク１６はスピンドルモータ１７の回転軸に装着される。スピンドルモータ１７は例えば５４００ｒｐｍや７２００ｒｐｍ、１００００ｒｐｍ、１５０００ｒｐｍといった高速度で磁気ディスク１６を回転させることができる。
【００２１】
収容空間にはヘッドアクチュエータ１８がさらに収容される。このヘッドアクチュエータ１８はアクチュエータブロック１９を備える。アクチュエータブロック１９は、垂直方向に延びる支軸２０に回転自在に連結される。支軸２０は例えばねじ（図示されず）に基づきベース１３に固定される。同時に、支軸２０は前述のねじ１５に基づきカバー１４に連結される。アクチュエータブロック１９には、支軸２０から水平方向に延びる複数のアクチュエータアーム２１が区画される。こういったアクチュエータブロック１９は例えば押し出し成形に基づきアルミニウムから成型されればよい。
【００２２】
個々のアクチュエータアーム２１の先端には、アクチュエータアーム２１から前方に延びるヘッドサスペンション２２が取り付けられる。ヘッドサスペンション２２の先端にはいわゆるジンバルばね（図示されず）が接続される。ジンバルばねの表面に浮上ヘッドスライダ２３は固定される。こうしたジンバルばねの働きで浮上ヘッドスライダ２３はヘッドサスペンション２２に対してその姿勢を変化させることができる。
【００２３】
浮上ヘッドスライダ２３にはいわゆる磁気ヘッドすなわち電磁変換素子（図示されず）が搭載される。この電磁変換素子は、例えば、薄膜コイルパターンで生成される磁界を利用して磁気ディスク１６に情報を書き込む薄膜磁気ヘッドといった書き込み素子と、スピンバルブ膜やトンネル接合膜の抵抗変化を利用して磁気ディスク１６から情報を読み出す巨大磁気抵抗効果（ＧＭＲ）素子やトンネル接合磁気抵抗効果（ＴＭＲ）素子といった読み出し素子とで構成されればよい。
【００２４】
磁気ディスク１６の回転に基づき磁気ディスク１６の表面で気流が生成されると、気流の働きで浮上ヘッドスライダ２３には正圧すなわち浮力および負圧が作用する。浮力および負圧とヘッドサスペンション２２の押し付け力とが釣り合うことで磁気ディスク１６の回転中に比較的に高い剛性で浮上ヘッドスライダ２３は浮上し続けることができる。
【００２５】
こういった浮上ヘッドスライダ２３の浮上中にヘッドアクチュエータ１８が支軸２０回りで回転すると、浮上ヘッドスライダ２３は磁気ディスク１６の半径線に沿って移動することができる。その結果、浮上ヘッドスライダ２３上の電磁変換素子は最内周記録トラックと最外周記録トラックとの間でデータゾーンを横切ることができる。こうして浮上ヘッドスライダ２３上の電磁変換素子は目標の記録トラック上に位置決めされる。
【００２６】
アクチュエータブロック１９にはボイスコイルモータ（ＶＣＭ）２４が連結される。アクチュエータブロック１９には、支軸２０から水平方向に延びる支持体２５が一体に形成される。支持体２５にはＶＣＭ２４のコイル２６が巻き付けられる。支持体２５は、ＶＣＭ２４に固定される永久磁石（図示されず）に向き合わせられる。電流の供給に応じてコイル２６で磁界が生成されると、アクチュエータブロック１９すなわちヘッドアクチュエータ１８の揺動は引き起こされる。
【００２７】
ヘッドサスペンション２２の先端には、ヘッドサスペンション２２の先端から前方に延びるロード部材すなわちロードタブ２７が固定される。ロードタブ２７はヘッドアクチュエータ１８の揺動に基づき磁気ディスク１６の半径方向に移動することができる。ロードタブ２７の移動経路上には磁気ディスク１６の外側でランプ部材２８が配置される。ロードタブ２７はランプ部材２８の表面に受け止められる。
【００２８】
ランプ部材２８は、磁気ディスク１６の外側でベース１３の底板に例えばねじ留めされる取り付け台２９を備える。取り付け台２９には、ヘッドアクチュエータ１８の支軸２０に向かって水平面に沿って突き出る突片３１が形成される。突片３１は例えば一体成型に基づき取り付け台２９に一体化される。突片３１の先端は最外周記録トラックの外側で非データゾーンに向き合わせられる。ランプ部材２８およびロードタブ２７は協働でいわゆるロードアンロード機構を構成する。ランプ部材２８は例えば硬質プラスチック材料から成型されればよい。
【００２９】
ヘッドアクチュエータ１８には保持機構３２が組み合わせられる。この保持機構３２は、支持部材３３内に保持される永久磁石３４と、永久磁石３４に向き合わせられる金属片３５とを備える。支持部材３３は例えばゴムといった弾性樹脂材料から形成される。こうした支持部材３３は例えばベース１３の底板に固定される。
【００３０】
金属片３５は支持体２５の一端に取り付けられる。永久磁石３４は金属片３５に磁界を作用させる。金属片３５は永久磁石３４に引き寄せられる。ヘッドアクチュエータ１８が順方向に最大限に揺動すると、金属片３５は永久磁石３４に受け止められる。こうしてロードタブ２７はランプ部材２８上の休止位置に保持される。
【００３１】
ヘッドアクチュエータ１８には拘束機構すなわちラッチ機構４１がさらに組み合わせられる。このラッチ機構４１は、支持体２５に形成される突出片４２を備える。突出片４２は支持体２５の一端に形成される。突出片４２は、支軸１８の軸心を中心に描かれる仮想円上に延びる。こうした突出片４２は支持体２５に一体に形成されればよい。突出片４２はヘッドアクチュエータ１８すなわち支持体２５の揺動に基づき前述の仮想円上で所定の移動経路に沿って移動する。
【００３２】
ラッチ機構４１は、ベース１３から直立する第１軸４３に揺動自在に支持される平板状のレバー４４をさらに備える。第１軸４３は例えば円柱形に形成される。第１軸４３はベース１３に支持される。レバー４４には重り４５が連結される。こうして重り４５は第１軸４３に揺動自在に支持される。その結果、レバー４４は重り４５の慣性力に基づき第１軸４３回りで揺動することができる。レバー４４や重り４５は例えばステンレス鋼といった金属材料から構成されればよい。
【００３３】
レバー４４には、ベース１３から直立する第２軸４６に揺動自在に支持される揺動部材４７が関連付けられる。第２軸４６は例えば円柱形に形成される。第２軸４６はベース１３に支持される。後述されるように、揺動部材４７は、レバー４４の第１軸４３回りの揺動に伴って第２軸４６回りで揺動することができる。こうして揺動部材４７は突出片４２の移動経路に進入することができる。こうした揺動部材４７は例えば樹脂材料から構成されればよい。
【００３４】
図３に示されるように、レバー４４には、レバー４４の表面から直立する第１および第２接触片４８、４９が形成される。第２接触片４９は例えばレバー４４の先端に配置されればよい。第１接触片４９は第２接触片４９に所定の間隔を隔てて配置されればよい。第１および第２接触片４８、４９は例えば円柱形に形成されればよい。
【００３５】
揺動部材４７は、第２軸４６から相互に反対向きに延びる第１および第２揺動片５１、５２を備える。第１揺動片５１は、第１接触片４８に規定される第１作用点５３でレバー４４に接触する。第２揺動片５２は、第２接触片４９に規定される第２作用点５４でレバー４４に接触する。揺動部材４７は、第１および第２作用点５３、５４の間でレバー４４およびカバー１４の間に配置される。
【００３６】
ここで、第１作用点５３は第１軸４３から第１距離で離れる。第２作用点５４は第１軸４３から第２距離で離れる。第１距離は第２距離よりも短く規定される。その一方で、前述の重り４５は、第１および第２距離よりも短い第３距離で第１軸４３から離れる。その結果、重り４５の慣性力に基づきレバー４４の先端すなわち第１および第２作用点５３、５４で大きな変位量が確保される。
【００３７】
第１揺動片５１には、第１揺動片５１が突出片４２の移動経路に進入する際、突出片４２の受け入れを許容する受け入れ口５５が形成される。その一方で、第２揺動片５２には磁性片すなわち金属片５６が固定される。金属片５６は、ＶＣＭ２４の永久磁石から作用する磁界に基づきＶＣＭ２４に引き寄せられる。こうした金属片５６の働きで第１揺動片５１すなわち揺動部材４７は突出片４２の移動経路から後退した位置に保持される。
【００３８】
いま、磁気ディスク１６の回転が停止する場面を想定する。情報の書き込みや読み出しが完了すると、ＶＣＭ２４は支軸２０回りで順方向にヘッドアクチュエータ１８を回転させる。アクチュエータアーム２１およびヘッドサスペンション２２は磁気ディスク１６の外側に向かって駆動される。浮上ヘッドスライダ２３が最外周記録トラックを越えてランディングゾーンすなわち非データゾーンに向き合うと、ロードタブ２７は突片３１に接触する。さらにアクチュエータアーム２１が揺動すると、ロードタブ２７は突片３１上の傾斜面を登っていく。ロードタブ２７は磁気ディスク１６の表面から引き離される。
【００３９】
その後、アクチュエータアーム２１がさらに揺動すると、ロードタブ２７は突片３１上を摺動する。ロードタブ２７が最大限に磁気ディスク１６から外側に遠ざかると、ロードタブ２７は休止位置に位置決めされる。支持体２５の金属片３５は永久磁石３４に受け止められる。磁気ディスク１６の回転は停止する。ロードタブ２７はランプ部材２８上に保持されることから、無風状態にも拘わらず磁気ディスク１６に対する浮上ヘッドスライダ２３の衝突や接触は回避されることができる。磁気ディスク１６の表面に広がる潤滑剤と浮上ヘッドスライダ２３との吸着は効果的に阻止されることができる。
【００４０】
ＨＤＤ１１が情報の書き込みや読み出しといった指令を受け取ると、まず、磁気ディスク１６の回転が始まる。磁気ディスク１６の回転が定常状態に達すると、ＶＣＭ２４は前述の順方向とは反対の逆方向に支軸２０回りにヘッドアクチュエータ１８を回転させる。アクチュエータアーム２１およびヘッドサスペンション２２は磁気ディスク１６の回転軸に向かって駆動される。ロードタブ２７は突片３１上を摺動していく。アクチュエータアーム２１の揺動に基づきロードタブ２７は突片３１上の傾斜面を下っていく。
【００４１】
こうしてロードタブ２７が傾斜面を下っていく間に浮上ヘッドスライダ２３は磁気ディスク１６の表面に向き合う。浮上ヘッドスライダ２３には、磁気ディスク１６の表面に沿って生成される気流に基づき浮力が付与される。その後、アクチュエータアーム２１がさらに揺動すると、ロードタブ２７はランプ部材２８から離脱する。磁気ディスク１６が定常状態で回転する結果、ランプ部材２８に支えられなくても浮上ヘッドスライダ２３は磁気ディスク１６の表面から浮上し続けることができる。こうしてヘッドアクチュエータ１８は所定の移動経路を辿る。
【００４２】
磁気ディスク１６の静止時、図３に示されるように、ロードタブ２７は永久磁石３４の磁界に基づき休止位置に保持される。このとき、ベース１３に加わる衝撃に基づきヘッドアクチュエータ１８を揺動させる駆動力が生成される場面を想定する。ヘッドアクチュエータ１８は、永久磁石３４の磁界にも拘わらず慣性力に基づき支軸２０回りで揺動する。支持体２５は支軸２０回りで揺動する。ロードタブ２７は休止位置から磁気ディスク１４の表面に向かって突片３１上を摺動する。同時に、レバー４４は重り４５の慣性力に基づき第１軸４３回りで静止位置から揺動する。
【００４３】
図４に示されるように、レバー４４が第１軸４３回りで例えば第１方向ＦＤに揺動すると、レバー４４の第１接触片４８は第１作用点５３で第１揺動片５１に接触する。接触に基づき揺動部材４７では第２軸４６回りで第１揺動片５１の揺動が引き起こされる。第１揺動片５１は第２軸４６回りで突出片４２の移動経路に進入する。こうしてヘッドアクチュエータ１８の突出片４２は第１揺動片５１の受け入れ口５５に受け入れられる。ヘッドアクチュエータ１８の揺動は拘束される。磁気ディスク１６に向かうロードタブ２７の移動は突片３１上で拘束される。浮上ヘッドスライダ２３と磁気ディスク１６の表面との間で接触は回避される。浮上ヘッドスライダ２３の破損は確実に回避されることができる。
【００４４】
その一方で、図５に示されるように、レバー４４が第１軸４３回りで例えば第１方向ＦＤに逆向きの第２方向ＳＤに揺動すると、レバー４４の第２接触片４９は第２作用点５４で揺動部材４７の第２揺動片５２に接触する。接触に基づき揺動部材４７では第２軸４６回りで第２揺動片５２の揺動が引き起こされる。第２揺動片５２の揺動に基づき第１揺動片５１は第２軸４６回りで突出片４２の移動経路に進入する。こうしてヘッドアクチュエータ１８の突出片４２は第１揺動片５１の受け入れ口５５に受け入れられる。ヘッドアクチュエータ１８の揺動は拘束される。磁気ディスク１６に向かうロードタブ２７の移動は突片３１上で拘束される。浮上ヘッドスライダ２３と磁気ディスク１６の表面との間の接触は回避される。浮上ヘッドスライダ２３の破損は確実に回避されることができる。
【００４５】
以上のようなＨＤＤ１１では、磁気ディスク１６の静止時、ヘッドアクチュエータ１８の支軸２０回りにＨＤＤ１１に衝撃が加えられても、ラッチ機構４１の働きでヘッドアクチュエータ１８の揺動は拘束される。ロードタブ２７の移動はランプ部材２８上で拘束される。こうして浮上ヘッドスライダ２３と磁気ディスク１６の表面との間で接触は回避される。浮上ヘッドスライダ２３の破損は確実に回避されることができる。
【００４６】
しかも、揺動部材４７は、第１および第２作用点５３、５４の間でレバー４４およびカバー１４の間に配置される。ＨＤＤ１１に衝撃が加えられても、レバー４４の先端は第１および第２作用点５１、５２の間で揺動部材４７の裏面に受け止められる。第１軸４３に対して第１軸４３の軸方向にレバー４４の変位は規制される。第２軸４６に対して第２軸４６の軸方向にレバー４４の先端の変位は規制される。レバー４４の先端で大きな変位量が確保されるにも拘わらず、レバー４４およびカバー１４の接触は確実に回避される。カバー１４およびレバー４４の接触に基づく騒音の発生は回避される。同時に、ヘッドアクチュエータ１８に振動の伝達は確実に回避される。浮上ヘッドスライダ２３の電磁変換素子では情報の読み書きは正確に実施されることができる。
【００４７】
加えて、揺動部材４７は金属片５６の働きに基づき第２揺動片５２でＶＣＭ２４の永久磁石に引き寄せられる。すなわち、金属片５６には、第２軸４６に直交する水平面や第２軸４６を含む垂直面に沿って磁力が作用する。その結果、第２軸に対して第２軸４６の軸方向に揺動部材４７の移動は規制される。前述されるように、レバー４４の先端は第１および第２作用点５１、５２の間で揺動部材４７の裏面に受け止められることから、第１軸４３に対して第１軸４３の軸方向にレバー４４の先端の変位は確実に拘束されることができる。
【００４８】
その他、例えば図６に示されるように、ＨＤＤ１１には規制部材６１が組み込まれてもよい。規制部材６１は、揺動部材４７に形成されて第２軸４６を受け入れる軸孔６２の内壁面から突き出る突片６３と、第２軸４６に形成されて外周面で第２軸４６の軸心回りに延びる長溝６４とを備える。軸孔６２は例えば円柱空間を規定する。長溝６４は第２軸４６の外周面の全周にわたって形成されればよい。こうした突片６３および長溝６４に基づき、揺動部材４７の第２軸４６回りの揺動は案内されることができる。ここでは、第２軸４６は、ベース１３に穿たれる貫通孔６５に例えば圧入されればよい。こうしたＨＤＤ１１では、突片６３が長溝６４に受け入れられる結果、第２軸４６に対して第２軸４６の軸方向に揺動部材４７の移動は規制される。その結果、レバー４４の先端の変位は確実に拘束されることができる。
【００４９】
その他、図７に示されるように、突片６３および長溝６４に代えて、規制部材６１は、第２軸４６の外周面から外側に向かって突き出る突片６６を備えてもよい。突片６６はベース１３との間で揺動部材４７を挟み込む。ここでは、突片６６は揺動部材４７の頂上面に向き合わせられる。突片６６は第２軸４６のねじ頭として機能する。前述と同様に、第２軸４６は揺動部材４７の軸孔６２に受け入れられる。第２軸４６の基部端にはねじが切られる。こうして第２軸４６は、ベース１３に穿たれるねじ孔６７にねじ込まれる。こうしたＨＤＤ１１では、突片６６は揺動部材４７の頂上面に向き合わせられることから、第２軸４６に対して第２軸４６の軸方向に揺動部材４７の移動は規制される。その結果、レバー４４の先端の変位は確実に拘束されることができる。
【００５０】
本発明の記録ディスク駆動装置には、前述のＨＤＤ１１の他、光磁気ディスクとヘッドスライダに搭載される磁気ヘッドとを使用する光磁気ディスク駆動装置や、光ディスクとヘッドスライダに搭載される光学素子とを使用する光ディスク駆動装置といった記録ディスク駆動装置が含まれることができる。
【図面の簡単な説明】
【００５１】
【図１】本発明に係る記録ディスク駆動装置の一具体例すなわちハードディスク駆動装置（ＨＤＤ）の構造を概略的に示す斜視図である。
【図２】ハードディスク駆動装置の内部構造を概略的に示す平面図である。
【図３】ラッチ機構の構造を概略的に示す部分拡大平面図である。
【図４】ヘッドアクチュエータの揺動が拘束される様子を概略的に示す部分拡大平面図である。
【図５】ヘッドアクチュエータの揺動が拘束される様子を概略的に示す部分拡大平面図である。
【図６】規制部材の構造を概略的に示す揺動部材の拡大断面図である。
【図７】規制部材の構造を概略的に示す揺動部材の拡大断面図である。
【符号の説明】
【００５２】
１１  記録ディスク駆動装置（ハードディスク駆動装置）、１３  ベース部材（ベース）、１４  カバー、１８  ヘッドアクチュエータ、２０  支軸、２３  ヘッドスライダ（浮上ヘッドスライダ）、２４  ボイスコイルモータ、２８  ランプ部材、４３  第１軸、４４  レバー、４５  重り、４６  第２軸、４７  揺動部材、５１  第１作用点、５２  第２作用点、５３  第１揺動片、５４  第２揺動片、５６  磁性片（金属片）、６１  規制部材、６２  軸孔、６３  突片、６４  長溝、６６  突片、ＦＤ  第１方向、ＳＤ  第２方向。
【図１】
2006268983.tif 000003
【図２】
2006268983.tif 000004
【図３】
2006268983.tif 000005
【図４】
2006268983.tif 000006
【図５】
2006268983.tif 000007
【図６】
2006268983.tif 000008
【図７】
2006268983.tif 000009